(57)【要約】 【課題】透明基板上の引き回し配線のうち液晶パネルの側面において露出した端部と、シールドケースとの接触を防止して、不良発生を抑制することのできる液晶表示装置を提供する。【解決手段】複数の薄膜トランジスタとそれらの各電極に接続された引き回し配線とが形成されたＴＦＴ基板と、ＴＦＴ基板に重畳されるＣＦ基板とを有し、その側面から引き回し配線の端子が露出している液晶パネルと、液晶パネルの裏面及び側面を覆う裏面用ケースと、液晶パネルの表面及び側面を覆う表面用ケースとを有するシールドケースと、を備える液晶表示装置である。裏面用ケース及び表面用ケースの少なくとも一方には、液晶パネルの側面に向けて突出する規制片を有する突出部が設けられており、規制片は、液晶パネルにおけるＴＦＴ基板と、ＣＦ基板との境界を避けた位置に対向するように配置されている。【選択図】図２
2010224103.tif 000002
【特許請求の範囲】
【請求項１】
予め定めた間隙を設けて対向配置された一対の透明基板を有し、前記一対の透明基板のうち一方の透明基板の他方の透明基板と対向する内面に形成された配線が前記一方の透明基板の側面において露出している液晶パネルと、
前記液晶パネルを覆うシールドケースと、を備え、
前記シールドケースには、前記シールドケースから前記液晶パネルの側面に向けて突出する少なくとも一つの突出部が設けられ、
前記突出部の先端は、前記液晶パネルの表面又は裏面の法線方向において、前記一方の透明基板の内面が配置される位置とは異なる位置に配置されていることを特徴とする液晶表示装置。
【請求項２】
請求項１記載の液晶表示装置において、
前記シールドケースは、前記液晶パネルの側面に対向するように配置された壁部を有し、
前記突出部は、前記壁部に一端部が接続されて設けられていることを特徴とする液晶表示装置。
【請求項３】
請求項１記載の液晶表示装置において、
前記シールドケースは、前記液晶パネルの側面に対向するように配置された壁部を有し、
前記突出部は、前記壁部と隣接した領域に前記液晶パネルの表面又は裏面の法線方向に沿って立設された規制片に、一端部が接続されて設けられていることを特徴とする液晶表示装置。
【請求項４】
請求項１〜３のいずれか一項に記載の液晶表示装置において、
前記シールドケースは、前記液晶パネルの表面及び側面を覆う第一のケースと、前記液晶パネルの裏面及び側面を覆い、前記第一のケースと組み付けられた第二のケースと、を含み、
前記突出部は、前記第一のケース及び前記第二のケースのうち少なくとも一方に設けられていることを特徴とする液晶表示装置。
【請求項５】
請求項４記載の液晶表示装置において、
前記第一のケースのうち前記液晶パネルの側面を覆う部分及び前記第二のケース前記液晶パネルの側面を覆う部分のうち少なくとも一方の部分は、他方の部分よりも内側に配置され、
前記突出部は、前記一方の部分に設けられていることを特徴とする液晶表示装置。
【請求項６】
請求項４記載の液晶表示装置において、
前記第一のケースのうち前記液晶パネルの側面を覆う部分及び前記第二のケース前記液晶パネルの側面を覆う部分のうち少なくとも一方の部分は、他方の部分よりも内側に配置され、
前記突出部は、前記他方の部分に設けられ、且つ前記一方のケースには、前記突出部と前記他方のケースの壁部とが重なる位置に、内部に前記突出部が配置される切欠が設けられていることを特徴とする液晶表示装置。
【請求項７】
請求項１〜６のいずれか一項に記載の液晶表示装置において、
前記シールドケースは略矩形状であり、前記シールドケースの少なくとも一つの辺に前記突出部が少なくとも一つ設けられていることを特徴とする液晶表示装置。
【請求項８】
請求項１〜７のいずれか一項に記載の液晶表示装置において、
前記シールドケースは略矩形状であり、前記シールドケースの少なくとも一つの角部に前記突出部が一対設けられていることを特徴とする液晶表示装置。
【請求項９】
請求項１〜８のいずれか一項に記載の液晶表示装置において、
前記シールドケースは略矩形状であり、前記シールドケースの各辺に前記突出部が少なくとも一つ設けられていることを特徴とする液晶表示装置。
【請求項１０】
請求項１〜９のいずれか一項に記載の液晶表示装置において、
前記シールドケースは略矩形状であり、前記シールドケースの対向する少なくとも一対の角部に前記突出部がそれぞれ一対設けられていることを特徴とする液晶表示装置。
【請求項１１】
請求項１〜１０のいずれか一項に記載の液晶表示装置において、
前記液晶パネルの表面又は裏面の法線方向において、前記突出部の先端の厚みが前記一対の透明基板の各厚みよりも小さいことを特徴とする液晶表示装置。
【請求項１２】
行方向及び列方向にマトリックス状に配列させて形成された複数の画素電極と、前記複数の画素電極にそれぞれ接続された複数の薄膜トランジスタと、前記複数の薄膜トランジスタのゲート電極に接続された複数の走査線と、前記複数の薄膜トランジスタのソース電極又はドレイン電極に接続された複数の信号線と、前記複数の走査線又は前記複数の信号線と接続された引き回し配線と、が形成されたＴＦＴ基板と、前記複数の画素電極とそれぞれ対応する複数のカラーフィルタ及び前記複数の画素電極と対向するように設けられた対向電極が形成され、前記ＴＦＴ基板との間に予め定めた間隙を設けて対向配置されたＣＦ基板と、を有する液晶パネルと、
前記液晶パネルの表面及び側面を覆う第一のケースと、前記液晶パネルの裏面及び側面を覆い、前記第一のケースと組み付けられた第二のケースと、を含むシールドケースと、を備え、
前記引き回し配線の端部が前記ＴＦＴ基板の側面において露出され、
前記第一のケース及び前記第二のケースのうち少なくとも一方には、前記少なくとも一方のケースから前記液晶パネルの側面に向けて突出する少なくとも一つの突出部が設けられ、
前記突出部の先端は、前記液晶パネルの表面又は裏面の法線方向において、前記一方の透明基板の内面が配置される位置とは異なる位置に配置されていることを特徴とする液晶表示装置。
【請求項１３】
請求項１２記載の液晶表示装置において、
前記シールドケースは略矩形状であり、前記シールドケースの各角部に前記突出部がそれぞれ一対設けられていることを特徴とする液晶表示装置。
【請求項１４】
請求項１２又は１３記載の液晶表示装置において、
前記液晶パネルの表面又は裏面の法線方向において、前記突出部の先端の厚みが前記一対の透明基板の各厚みよりも小さいことを特徴とする液晶表示装置。
【発明の詳細な説明】
【技術分野】
【０００１】
本発明は、液晶表示装置に関する。
【背景技術】
【０００２】
従来、液晶表示装置においては、液晶パネルを、金属製のシールドケースで覆ったものが知られている（例えば特許文献１参照）。具体的に説明すると、図４に示すように従来の液晶表示装置１００は、液晶パネル１０１の裏面及び側面を覆う裏面シールドケース１０２と、液晶パネル１０１の表面及び側面を覆う表面シールドケース１０３とを有する。これら裏面シールドケース１０２と、表面シールドケース１０３とが液晶パネルを１０１に組み付けられると、いずれか一方のシールドケース１０２，１０３の壁部が液晶パネル１０１の側面に対向することになる。
【先行技術文献】
【特許文献】
【０００３】
【特許文献１】特開２００６−１０９６７号公報
【発明の概要】
【発明が解決しようとする課題】
【０００４】
ところで、液晶パネル１０１を製造する際には、一対の透明基板のうちの一方の透明基板に形成された薄膜トランジスタが静電気により破壊されることを防止するために、一対の透明基板の互いに向き合う内面のうち一方の内面上には、複数の薄膜トランジスタのゲート及びドレインにそれぞれ接続された複数の走査線及び複数の信号線に接続されたショートリングが形成されている。ショートリングは、液晶パネル１０１を個片化する際に切り落として除去される。このため、一方の内面上に形成された、ショートリングと各走査線及び各信号線とを接続するための複数の引き回し配線の端部が、個片化のための切断後、液晶パネル１０１の側面において露出することとなる。
このため、シールドケース１０２，１０３と液晶パネル１０１とを組み付ける際に、液晶パネル１０１の側面とシールドケース１０２，１０３の壁部とが接触して、引き回し配線の露出した端部を介してシールドケース１０２，１０３に帯電した静電気により薄膜トランジスタが破壊され、ひいては液晶表示装置の歩留まりを低下させてしまうおそれがあった。
本発明の課題は、引き回し配線のうち液晶パネルの側面において露出した端部と、シールドケースとの接触を防止して、不良発生を抑制することのできる液晶表示装置を提供することである。
【課題を解決するための手段】
【０００５】
以上の課題を解決するため、本発明の一の態様によれば、
予め定めた間隙を設けて対向配置された一対の透明基板を有し、前記一対の透明基板のうち一方の透明基板の他方の透明基板と対向する内面に形成された配線が前記一方の透明基板の側面において露出している液晶パネルと、
前記液晶パネルを覆うシールドケースと、を備え、
前記シールドケースには、前記シールドケースから前記液晶パネルの側面に向けて突出する少なくとも一つの突出部が設けられ、
前記突出部の先端は、前記液晶パネルの表面又は裏面の法線方向において、前記一方の透明基板の内面が配置される位置とは異なる位置に配置されていることを特徴とする液晶表示装置が提供される。
【０００６】
上記液晶表示装置において、好ましくは、前記シールドケースは、前記液晶パネルの側面に対向するように配置された壁部を有し、前記突出部は、前記壁部に一端部が接続されて設けられている。
上記液晶表示装置において、好ましくは、前記シールドケースは、前記液晶パネルの側面に対向するように配置された壁部を有し、前記突出部は、前記壁部と隣接した領域に前記液晶パネルの表面又は裏面の法線方向に沿って立設された規制片に、一端部が接続されて設けられている。
上記液晶表示装置において、好ましくは、前記シールドケースは、前記液晶パネルの表面及び側面を覆う第一のケースと、前記液晶パネルの裏面及び側面を覆い、前記第一のケースと組み付けられた第二のケースと、を含み、前記突出部は、前記第一のケース及び前記第二のケースのうち少なくとも一方に設けられている。
上記液晶表示装置において、好ましくは、前記第一のケースのうち前記液晶パネルの側面を覆う部分及び前記第二のケース前記液晶パネルの側面を覆う部分のうち少なくとも一方の部分は、他方の部分よりも内側に配置され、前記突出部は、前記一方の部分に設けられている。
上記液晶表示装置において、好ましくは、前記第一のケースのうち前記液晶パネルの側面を覆う部分及び前記第二のケース前記液晶パネルの側面を覆う部分のうち少なくとも一方の部分は、他方の部分よりも内側に配置され、前記突出部は、前記他方の部分に設けられ、且つ前記一方のケースには、前記突出部と前記他方のケースの壁部とが重なる位置に、内部に前記突出部が配置される切欠が設けられている。
上記液晶表示装置において、好ましくは、前記シールドケースは略矩形状であり、前記シールドケースの少なくとも一つの辺に前記突出部が少なくとも一つ設けられている。
上記液晶表示装置において、好ましくは、前記シールドケースは略矩形状であり、前記シールドケースの少なくとも一つの角部に前記突出部が一対設けられている。
上記液晶表示装置において、好ましくは、前記シールドケースは略矩形状であり、前記シールドケースの各辺に前記突出部が少なくとも一つ設けられている。
上記液晶表示装置において、好ましくは、前記シールドケースは略矩形状であり、前記シールドケースの対向する少なくとも一対の角部に前記突出部がそれぞれ一対設けられている。
上記液晶表示装置において、好ましくは、前記液晶パネルの表面又は裏面の法線方向において、前記突出部の先端の厚みが前記一対の透明基板の各厚みよりも小さい。
【０００７】
また、本発明の他の態様によれば、
行方向及び列方向にマトリックス状に配列させて形成された複数の画素電極と、前記複数の画素電極にそれぞれ接続された複数の薄膜トランジスタと、前記複数の薄膜トランジスタのゲート電極に接続された複数の走査線と、前記複数の薄膜トランジスタのソース電極又はドレイン電極に接続された複数の信号線と、前記複数の走査線又は前記複数の信号線と接続された引き回し配線と、が形成されたＴＦＴ基板と、前記複数の画素電極とそれぞれ対応する複数のカラーフィルタ及び前記複数の画素電極と対向するように設けられた対向電極が形成され、前記ＴＦＴ基板との間に予め定めた間隙を設けて対向配置されたＣＦ基板と、を有する液晶パネルと、
前記液晶パネルの表面及び側面を覆う第一のケースと、前記液晶パネルの裏面及び側面を覆い、前記第一のケースと組み付けられた第二のケースと、を含むシールドケースと、を備え、
前記引き回し配線の端部が前記ＴＦＴ基板の側面において露出され、
前記第一のケース及び前記第二のケースのうち少なくとも一方には、前記少なくとも一方のケースから前記液晶パネルの側面に向けて突出する少なくとも一つの突出部が設けられ、
前記突出部の先端は、前記液晶パネルの表面又は裏面の法線方向において、前記一方の透明基板の内面が配置される位置とは異なる位置に配置されていることを特徴とする液晶表示装置が提供される。
【０００８】
上記液晶表示装置において、好ましくは、前記シールドケースは略矩形状であり、前記シールドケースの各角部に前記突出部がそれぞれ一対設けられている。
上記液晶表示装置において、好ましくは、前記液晶パネルの表面又は裏面の法線方向において、前記突出部の先端の厚みが前記一対の透明基板の各厚みよりも小さい。
【発明の効果】
【０００９】
本発明によれば、引き回し配線のうち、液晶パネルの側面において露出した端部と、シールドケースとの接触を防止して、液晶表示装置の不良発生を抑制することが可能となる。
【図面の簡単な説明】
【００１０】
【図１】本実施形態の液晶表示装置の概略構成を示す分解斜視図である。
【図２】図１の液晶表示装置に備わる裏面用ケースに液晶パネルを取り付けた状態の一部を示す拡大斜視図である。
【図３】図２におけるIII矢視図である。
【図４】従来の液晶表示装置の概略構成を示す分解斜視図である。
【発明を実施するための形態】
【００１１】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１２】
図１は本実施形態の液晶表示装置の概略構成を示す分解斜視図である。図１に示すように、液晶表示装置１は、液晶パネル１０と、シールドケース２０とを有する。
【００１３】
液晶パネル１０は、予め定めた間隙を設けて対向配置された略矩形状の一対の透明基板１１，１２と、これら透明基板１１，１２間の間隙に封入された液晶層（図示省略）と、一対の透明基板１１，１２の互いに向き合う内面にそれぞれ設けられ、電圧の印加により液晶層の液晶分子の配向状態を変化させて光の透過を制御する複数の画素を形成するための第１と第２の透明電極（図示省略）と、一対の透明基板１１，１２のうち一方の透明基板１２の外面に貼り付けられた偏光板１４と、他方の透明基板１１の外面に貼り付けられた偏光板（図示省略）と、を備えている。この液晶パネル１０は、一対の透明基板１１，１２のうち一方の透明基板１２に対して、観察側とは反対側に配置された面光源ユニット（図示省略）から光を入射させることにより、他方の透明基板１１の観察側に向けて表示を行うものである。
【００１４】
また、詳細は図示しないが、一対の透明基板１１，１２のうちの一方であるＴＦＴ基板１２の内面には、行方向及び列方向にマトリックス状に配列させて形成された第１の電極としての複数の透明な画素電極と、これらの画素電極にそれぞれ対応させて配置され、対応する画素電極に接続された複数のＴＦＴ（薄膜トランジスタ）と、各行のＴＦＴのゲート電極に接続されて、各ゲート電極にゲート信号を供給する複数の走査線と、各列のＴＦＴのソース電極又はドレイン電極に接続されて、各ソース電極又は各ドレイン電極にデータ信号を供給する複数の信号線と、これらを覆って形成された第１の配向膜とが設けられている。一対の透明基板１１，１２のうちの他方であるＣＦ基板１１の内面には、各画素電極とそれぞれ対応させて形成された赤、緑、青の３色のカラーフィルタと、これらのカラーフィルタの上に各画素電極の配列領域に対向させて形成された一枚膜状の透明な対向電極と、対向電極を覆って形成された第２の配向膜とが設けられている。
【００１５】
そして、液晶パネル１０を個片化する前のＴＦＴ基板１２上には、複数のＴＦＴのゲート及びドレインにそれぞれ接続された複数の走査線及び複数の信号線に接続されたショートリングが形成されている。このため、液晶パネル１０を個片化した後、ＴＦＴ基板１２の側面において、複数の走査線及び複数の信号線に接続された引き回し配線の端部１３が露出している（図３参照）。また、液晶パネル１０の裏面（ＴＦＴ基板１２の内面と反対側の外面）及び表面（ＣＦ基板１１の内面と反対側の外面）には、偏光板１４がそれぞれ重畳されている。
【００１６】
シールドケース２０は、液晶パネル１０の周縁に沿った外形を有する略矩形状の金属製のケースである。シールドケース２０は、図１に示すように、液晶パネル１０の裏面及び側面を覆う裏面用ケース２２と、液晶パネル１０の表面及び側面を覆う表面用ケース２１とを備える。
【００１７】
裏面用ケース２２は、略矩形枠状の底板２２１と、底板２２１の各辺から立設した壁部２２２とを有する。底板２２１には、液晶パネル１０の表示領域を露出するための開口２２３が形成され、底板２２１の外側には、開口２２３に出射面が位置するように、面光源ユニットが配置される。一方、表面用ケース２１は、略矩形枠状の天板２１１と、天板２１１の各辺から立設した壁部２１２とを有する。天板２１１には、液晶パネル１０の表示領域を露出するための開口２１３が形成されている。これら裏面用ケース２２と表面用ケース２１とを組み合わせると、表面用ケース２１の壁部２１２が裏面用ケース２２の壁部２２２の内側に配置されて、両者が係合するようになっている。
【００１８】
この際、表面用ケース２１の壁部２１２の内面又は裏面用ケース２２の壁部２２２の内面が、液晶パネル１０の各透明基板１１，１２の各側面に対向するように配置される。液晶パネル１０は、表面用ケース２１の天板２１１と裏面用ケース２２の底板２２１との間に挟持されることによって、液晶パネル１０の各透明基板１１，１２の法線方向に沿った位置ズレが抑止される。そして、内側となる表面用ケース２１における底板２１１の四つの角部における壁部２１２に隣接する領域には、それぞれ、液晶パネル１０の表面又は裏面の法線方向に沿って立設され、先端部が内側に折り曲げられた一対の規制片３０が設けられている。一対の規制片３０は、正面から見て液晶パネル１０の角を形成する一対の辺にそれぞれ対向するようになっている。
【００１９】
図２は、裏面用ケース２１に液晶パネル１０を取り付けた状態の一部を示す拡大斜視図であり、図３は図２のIII矢視図（図２で示された部分の側面図）である。これら図２，図３に示すように、規制片３０は、天板２１１から立設する基部３１と、基部３１の上端から液晶パネル１０が配置された内側に向かって、液晶パネル１０の表面又は裏面と平行な方向に沿って突出し、先端が液晶パネル１０の側面に対向する突出部３２とを有する。ここで、規制片３０の突出部３２の先端は、液晶パネル１０におけるＴＦＴ基板１２と、ＣＦ基板１１との境界Ｌを避けた位置に対向するように、その先端の位置が設定されている。具体的には、液晶パネル１０の表面又は裏面の法線方向において、規制片３０から突出部３２が突出する位置が、ＴＦＴ基板１２の内面又はＣＦ基板１１の内面が配置される位置とは異なる位置となるように、規制片３０の突出部３２が設けられている。また、液晶パネル１０の表面又は裏面の法線方向において、規制片３０の突出部３２の先端の厚みは、各透明基板１１，１２の厚みよりも小さく設定されている。
【００２０】
この場合、図３に示すように、突出部３２の先端がＴＦＴ基板１２の側面１２１にのみ対向して配置されるようにしてもよいし、図３の点線部Ｔに示すようにＣＦ基板１１の側面１１１にのみ対向して配置されるようにしてもよい。また、突出部３２の先端がＴＦＴ基板１２の側面１２１及びＣＦ基板１１の側面１１１の両方に対向して配置されるようにしてもよい。なお、突出部３２は、液晶パネル１０の側面（側面１２１又は側面１１１）に接していてもよいし、所定の間隔を空けて離間していてもよい。直接接している場合には、液晶パネル１０をシールドケース２０に組み付ける際のシールドケース２０に対する液晶パネル１０の位置ズレ量をより小さくすることができる。
【００２１】
以上のように、規制片３０は、液晶パネル１０におけるＴＦＴ基板１２と、ＣＦ基板１１との境界Ｌを避けた位置に、突出部３２の先端が対向するように配置されているので、液晶パネル１０がその表面又は裏面に平行な方向に位置ズレして、その側面が規制片３０に接触したとしても、引き回し配線のうち液晶パネル１０の側面において露出した端部１３と、規制片３０とが接触することがない。このため、表面用ケース２１及び裏面用ケース２２と液晶パネル１０とを組み付ける際に、液晶パネル１０の側面と表面用ケース２１の壁部２１２又は裏面用ケース２２の壁部２２２とが接触して、引き回し配線のうち液晶パネルの側面において露出した端部１３と、シールドケース２０とが接触することを防止することができる。
特に、上記の実施形態では、内側となる表面用ケース２１における底板２１１の四つの角部に、それぞれ一対の規制片３０が設けられているので、表面用ケース２１及び裏面用ケース２２と液晶パネル１０とを組み付けた後、液晶パネル１０の各透明基板１１，１２の内面又は外面に平行な方向において液晶パネル１０が位置ズレした際に、引き回し配線の露出した端部１３と壁部２１２とが接触することを防止することができる。
【００２２】
上記いずれの場合も、引き回し配線の露出した端部１３を介して、静電気によって液晶パネル１０の薄膜トランジスタが破壊されてしまうことを防止でき、ひいては液晶表示装置１の不良発生を抑制することが可能となる。
【００２３】
なお、本発明は上記実施形態に限らず適宜変更可能である。
例えば、本実施形態では、略矩形状のシールドケース２０の四つの角部にそれぞれ一対の規制片３０を設け、各規制片３０の突出部３２がそれぞれ液晶パネル１０の各側面に対向して配置される場合を例示して説明したが、液晶パネル１０の各辺にそれぞれ対応するシールドケース２０の四つの辺に、少なくとも一つの規制片３０をそれぞれ設け、各規制片３０の突出部３２がそれぞれ液晶パネル１０の各側面に対向して配置されるようにしてもよい。
この場合も、表面用ケース２１及び裏面用ケース２２と液晶パネル１０とを組み付ける際に、液晶パネル１０の側面と表面用ケース２１の壁部２１２又は裏面用ケース２２の壁部２２２とが接触して、引き回し配線のうち液晶パネルの側面において露出した端部１３と、シールドケース２０とが接触することを防止することができる。また、規制片３０を設ける位置を適切に選ぶことにより、表面用ケース２１及び裏面用ケース２２と液晶パネル１０とを組み付けた後、何らかの影響で液晶パネル１０がシールドケース２０内で位置ズレした場合に、液晶パネル１０の側面と表面用ケース２１の壁部２１２又は裏面用ケース２２の壁部２２２とが接触して、引き回し配線のうち液晶パネルの側面において露出した端部１３と、シールドケース２０とが接触することを防止することができる。
【００２４】
また、液晶パネル１０の少なくとも一辺に対応するシールドケース２０の一つの辺に、少なくとも一つの規制片３０を設け、少なくとも一つの規制片３０の突出部３２が液晶パネル１０の側面に対向して配置されるようにしてもよく、シールドケース２０の少なくとも一つの角部に、一対の規制片３０を設け、一対の規制片３０の各突出部３２がそれぞれ液晶パネル１０の側面に対向して配置されるようにしてもよい。
これらの場合も、表面用ケース２１及び裏面用ケース２２と液晶パネル１０とを組み付ける際に、液晶パネル１０の側面と表面用ケース２１の壁部２１２又は裏面用ケース２２の壁部２２２とが接触して、引き回し配線のうち液晶パネルの側面において露出した端部１３と、シールドケース２０とが接触することを防止することができる。
【００２５】
さらに、本実施形態では、複数の規制片３０が、表面用ケース２１及び裏面用ケース２２のうち、内側となる表面用ケース２１に形成されている場合を例示して説明したが、規制片３０を、表面用ケース２１の外側に配置される裏面用ケース２２に設けることも可能である。ここで、裏面用ケース２２の突出部３２と、表面用ケース２１の壁部２１２とが重なる場合は、表面用ケース２１の壁部２１２に内部に突出部が配置されるように切欠を設けて、規制片３０のうち少なくとも突出部３２が液晶パネル１０の側面に対向して配置されるようにする必要がある。一方、上述の実施形態のように、液晶パネル１０を内部に収容する表面用ケース２１及び裏面用ケース２２のうち、側壁が内側に配置される一方のケースに、複数の規制片３０を設けた場合、他方のケースには切欠等を設けなくともよい。
【００２６】
なお、複数の規制片３０を裏面用ケース２１及び表面用ケース２２のそれぞれに分けて形成することも可能である。
また、内側となる表面用ケース２１における底板２１１の壁部２１２に隣接する領域に規制片３０を設ける場合に限らず、壁部２１２と規制片３０とを連続的に形成してもよく、また、壁部２１２に直接突出部３２を形成してもよい。
さらに、規制片３０は、少なくとも突出部３２の先端が、液晶パネル１０の表面又は裏面の法線方向において、ＴＦＴ基板１２の内面及びＣＦ基板１１の内面が配置される位置とは異なる位置に配置されるように形成されていればよく、必ずしも液晶パネル１０の表面又は裏面と平行な方向に沿って突出していなくてもよい。
【符号の説明】
【００２７】
１      液晶表示装置
１０      液晶パネル
１１      ＣＦ基板（透明基板）
１２      ＴＦＴ基板（透明基板）
１３      端部
１４      偏光板
２０      シールドケース
２１      表面用ケース（第一のケース）
２２      裏面用ケース（第二のケース）
３０      規制片
３１      基部
３２      突出部
１１１      側面
１２１      側面
２１１      天板
２１２      壁部
２２１      底板
２２２      壁部
２２３      開口
Ｌ      境界
【図１】
2010224103.tif 000003
【図２】
2010224103.tif 000004
【図３】
2010224103.tif 000005
【図４】
2010224103.tif 000006